(57)【特許請求の範囲】
【請求項１】
放熱体と、放熱体の一端に取り付けられた口金と、ＬＥＤチップが実装され、放熱体の反口金側端面に固着したモジュール基板と、ＬＥＤチップに対向するように放熱体の端面に取り付けられ、ＬＥＤチップの発する光を周囲に拡散する光拡散部材と、放熱体に内蔵され、ＬＥＤチップに電力を供給する点灯回路を備え、口金と点灯回路及び点灯回路とモジュール基板を電気的に接続したＬＥＤランプであって、
一端を開口にした凹形の空洞部を形成したガラス製ブロックを備え、
開口から該空洞部に前記光拡散部材を格納するとともに、放熱体及び口金がブロックの外側に露出するように放熱体をブロックに固着し、
ブロックをＬＥＤランプの載置面に置いたとき、口金が載置面に接触しないように、ブロックの重量でＬＥＤランプが自立し、放熱体と口金がブロックから起立するようにし、
かつ、前記ブロックの底面をＬＥＤランプの載置面に置いたとき、ブロックの底面が三点で載置面に接地し、ＬＥＤランプの重心が三点を頂点とする三角形の内側に位置するように、ブロックの底面を内側に緩やかに湾曲した平坦面に形成したことを特徴とするＬＥＤランプ。
【発明の詳細な説明】
【技術分野】
【０００１】
本発明は、ＬＥＤチップを光源として内蔵するＬＥＤランプに関する。
【背景技術】
【０００２】
近時、消費電力の少ないＬＥＤチップを光源として用いるＬＥＤランプが市場に供されている。
一般に、この種のＬＥＤランプは熱伝導性に優れたアルミニウムなどの金属性放熱体と、放熱体の一端に取り付けた口金と、ＬＥＤチップを実装したモジュール基板と、半球状の頂部を有し、放透光性のガラス又はプラスチック材から成るグローブと、ＬＥＤチップに電力を供給する点灯回路とを備え、放熱体の反口金側端部にモジュール基板を固定するとともに、モジュール基板を覆うようにグローブを放熱体に取り付け、点灯回路を放熱体に内蔵し、点灯回路と口金及び点灯回路とモジュール基板を電気的に接続した構成を備えている。
【先行技術文献】
【特許文献】
【０００３】
【特許文献１】特開２０１１−７０９７２号公報
【特許文献２】特開２０１１−８２１３２号公報
【特許文献３】特開２０１１−９０８２８号公報
【特許文献４】特開２０１１−９１０３３号公報
【発明の概要】
【発明が解決しようとする課題】
【０００４】
上記した従来のＬＥＤランプは専ら白熱電球の代用品として利用され、用途が限定されている。本願発明の発明者はＬＥＤランプの光源として用いられるＬＥＤチップの発熱量が低く、点灯時でも放熱体の温度がせいぜい数十度程度に上昇するだけであり、手でＬＥＤランプに触れることができるという特性に着目した。
【０００５】
本発明は、このＬＥＤチップの低発熱性に着目し、その特性を利用してインテリア等に好適なＬＥＤランプを提供することを目的とする。
【課題を解決するための手段】
【０００６】
請求項１に記載の発明は、放熱体と、放熱体の一端に取り付けられた口金と、ＬＥＤチップが実装され、放熱体の反口金側端面に固着したモジュール基板と、ＬＥＤチップに対向するように放熱体の端面に取り付けられ、ＬＥＤチップの発する光を周囲に拡散する光拡散部材と、放熱体に内蔵され、ＬＥＤチップに電力を供給する点灯回路を備え、口金と点灯回路及び点灯回路とモジュール基板を電気的に接続したＬＥＤランプであって、
一端を開口にした凹形の空洞部を形成したガラス製ブロックを備え、
開口から該空洞部に前記光拡散部材を格納するとともに、放熱体及び口金がブロックの外側に露出するように放熱体をブロックに固着し、
ブロックをＬＥＤランプの載置面に置いたとき、口金が載置面に接触しないように、ブロックの重量でＬＥＤランプが自立し、放熱体と口金がブロックから起立するようにし、
かつ、前記ブロックの底面をＬＥＤランプの載置面に置いたとき、ブロックの底面が三点で載置面に接地し、ＬＥＤランプの重心が三点を頂点とする三角形の内側に位置するように、ブロックの底面を内側に緩やかに湾曲した平坦面に形成したことを特徴とする。
【発明の効果】
【０００７】
請求項１に記載の発明に係るＬＥＤランプによれば、ブロックをＬＥＤランプの載置面に置くと、口金が載置面に接触しないように、ブロックの重量でＬＥＤランプが自立する。口金を介して点灯回路に通電するとＬＥＤチップが発光し、その光が空洞部に格納した光拡散部材によってその周囲に拡散される。拡散した光はガラス製のブロックを通過してブロックの周囲を照明する。
しかして、本発明に係るＬＥＤランプの光源であるＬＥＤチップの点灯時の発熱量は低いので、ＬＥＤランプの載置面となる床やテーブル若しくは床やテーブル上の敷物類の表面がＬＥＤチップの熱で損傷するおそれはない。そのため、ＬＥＤランプを床やテーブル、棚等に置いて自立させることにより、インテリア照明器具として使用でき、ＬＥＤランプの用途を広げることができる。
また、ブロックの底面を平坦に形成したので、ＬＥＤランプを載置面に置いたとき、ＬＥＤランプが安定して自立する。
【図面の簡単な説明】
【０００８】
【図１】本発明の第１実施例に係るＬＥＤランプを示す断面図である。
【図２】本発明の第１実施例に係るＬＥＤランプのブロックの底面を示す説明図である。
【図３】本発明の第２実施例に係るＬＥＤランプを示す正面図である。
【図４】本発明の第１参考例に係るＬＥＤランプを示す断面図である。
【図５】本発明の第２参考例に係るＬＥＤランプを示す正面図である。
【実施例１】
【０００９】
以下に本発明を図面に基づき説明するに、図１及び図２には本発明の第１実施例に係るＬＥＤランプ１０が示されている。当該ＬＥＤランプ１０は熱伝導性と放熱性に優れたアルミニウム等の金属材料から成る放熱体１１と、放熱体１１の一端に取り付けられた、国際規格に則った形状、寸法を有する口金１２及びガラス製のブロック２０を備えている。
【００１０】
放熱体１１は逆円錐台形の外観を有し、外周部には表面積を増加して放熱効果を高めるため多数のフィン１１ａが形成されている。放熱体１１の反口金側端面１１ｂには、ＬＥＤチップ１４を実装したモジュール基板１５が固定されている。放熱体１１の内部には、ＬＥＤチップ１４に電力を供給する点灯回路１６が内蔵され、点灯回路１６とモジュール基板１５及び点灯回路１６と口金１２がリード線１７で接続されている。
【００１１】
放熱体１１の端面１１ｂに固定したモジュール基板１５には柱状の光拡散部材１８が固定され、端面１１ｂから垂下している。この光拡散部材１８は先端部に反射部１８ａが形成されている。反射部１８ａは複数の反射面から成り、逆多角錐の形状に形成されている。光拡散部材１８の基端部には凹部が形成され、この凹部をＬＥＤチップ１４に被せるようにして光拡散部材１８がモジュール基板１５に取付けられている。凹部に対向配置したＬＥＤチップ１４が発する光は凹部から光拡散部材１８中に入射し、反射部１８ａの反射面で反射されて、周囲に拡散する。
【００１２】
ガラス製ブロック２０は頂部を平面２０ａに形成した左右非対称の山形形状を有する。ブロック２０の内部には多数の気泡が形成されている。頂部平面２０ａの中心部には一端を開口にした凹形の空洞部２０ｃが形成され、空洞部２０ｃがブロック２０の内部に延びている。この空洞部２０ｃの開口端部にはリング状の凸条２０ｄが形成されている。一方、放熱体１１の端面１１ｂにはリング溝１１ｃが形成されている。放熱体１１はこのリング溝１１ｃにブロック２０の凸条２０ｄを嵌合し、接着剤で接着してブロック２０の頂部平面２０ａに固着されている。図１に示すように、放熱体１１及び放熱体１１の反光拡散部材側端面に取り付けた口金１２はブロック２０の外側に露出している。放熱体１１の端面１１ｂに取り付けた光拡散部材１８は開口から空洞部２０ｃに格納されている。
【００１３】
ブロック２０の底面２０ｅは、ブロック２０を載置面３０に置いたとき、図２に示す三点Ａ，Ｂ，Ｃで載置面３０に接地するように中央部が内側へ緩やかに湾曲した平坦面２０ｅに形成されている。ブロック２０は手作り製品であるため、左右非対称の不規則形状を有し、右半分が左半分より重く、そのためブロック２０を含めたＬＥＤランプ１０の重心Ｇはブロック２０の底面２０ｅ寄りで、かつ空洞部２０ｃの中心線の延長線から右方へ偏心し、かつ載置面３０との接地点Ａ，Ｂ，Ｃを頂点とする三角形の内部に位置している。
【００１４】
第１実施例に係るＬＥＤランプ１０の構造は以上の通りであって、ブロック２０をＬＥＤランプ１０の載置面３０に置くと、ブロック２０が三点Ａ，Ｂ，Ｃで載置面３０に接地し、口金１２が載置面３０に接触しないように、ブロック２０の重量でＬＥＤランプ１０が自立する。口金１２にソケット３１を接続し、口金１２を介して点灯回路１６に通電すると、ＬＥＤチップ１４が発光し、その光が空洞部２０ｃに格納した光拡散部材１８によってその周囲に拡散される。拡散した光はガラス製のブロック２０を通過してブロック２０の周囲を照明する。
【００１５】
本実施例に係るＬＥＤランプ１０の光源であるＬＥＤチップ１４の点灯時の発熱量は低いので、ＬＥＤランプ１０の載置面３０となる床やテーブル若しくは床やテーブル上の敷物類の表面がＬＥＤチップ１４の発熱で損傷するおそれはない。そのため、ＬＥＤランプ１０を床やテーブル、棚等に置いて自立させることにより、インテリア照明器具として使用でき、ＬＥＤランプ１０の用途を広げることができる。
【００１６】
本実施例に係るＬＥＤランプ１０はブロック２０を載置面３０に置いたとき三点Ａ，Ｂ，Ｃで載置面３０に接地するので、ＬＥＤランプ１０が安定して自立する。
【００１７】
本実施例に係るＬＥＤランプ１０はブロック２０の内部に気泡２０ｂを形成したので、ＬＥＤチップ１４の発する光が光拡散部材１８で拡散されてブロック２０を通過するとき、ブロック２０中の気泡２０ｂで乱反射し、照明効果が高まる。
【００１８】
本実施例に係るＬＥＤランプ１０は、手作りのブロック２０に放熱体１１を組み付けているので、個人が自分自身の趣味趣向に合ったデザインのＬＥＤランプ１０を製作でき、ＬＥＤランプ１０の用途を拡大できる。
【実施例２】
【００１９】
本発明の第２実施例に係るＬＥＤランプ４０を図３に示す。当該ＬＥＤランプ４０のガラス製ブロック４１の表面はサンドブラスト加工によって梨地に形成されている。
なお、第２実施例に係るＬＥＤランプ４０のその他の構成は第１実施例に係るＬＥＤランプ１０と同じであるので、同一の構成要素に同一の符号を付して説明を省略する。
【００２０】
第２実施例に係るＬＥＤランプ４０によれば、ＬＥＤチップ１４の発する光が光拡散部材１８で拡散されてブロック４１を通過するとき、ブロック４１の梨地表面で乱反射するので、照明効果が高まる。
【参考例１】
【００２１】
本発明の第１参考例に係るＬＥＤランプ５０を図４に示す。当該ＬＥＤランプ５０のブロック５１の頂部平面５１ａの中心部に空洞部５１ｂが形成され、空洞部５１ｂがブロック５１の内部に延びている。この空洞部５１ｂの開口端部にリング状の凸条５１ｃが形成されている。放熱体１１のリング溝１１ｃにブロック５１の凸条５１ｃが嵌合し、接着剤で接着してブロック５１の頂部平面５１ａに放熱体１１が固着されている。ブロック５１の底面５１ｄは、ＬＥＤランプ５０の載置面３０に置いたとき、底面５１ｄの略一点Ｄで載置面３０に接地して自立するように、外側に緩やかに湾曲した湾曲面に形成されている。
なお、第１参考例に係るＬＥＤランプ５０のその他の構成は第１実施例に係るＬＥＤランプ１０と同じであるので、同一の構成要素に同一の符号を付して説明を省略する。
【００２２】
第１参考例に係るＬＥＤランプ５０によれば、ブロック５１が略一点Ｄで載置面３０に接地するので、ＬＥＤランプ５０が接地点を支点にして前後左右に揺動可能に自立させることができる。ＬＥＤランプ５０を揺動させることにより、動きのある照明効果を得られ、インテリアとしての用途をより広げることができる。
【参考例２】
【００２３】
本発明の第２参考例に係るＬＥＤランプ６０を図５に示す。当該ＬＥＤランプ６０のガラス製ブロック６１は表面に多数のカット面６１ａを形成され、頂部６１ｂと底面６１ｃが平面に形成されている。ブロック６１の頂部平面６１ｂの中心部に空洞部６１ｄが形成され、空洞部６１ｄがブロック６１の内部に延びている。この空洞部６１ｄの開口端部にリング状の凸条６１ｅが形成されている。放熱体１１のリング溝１１ｃにブロック６１の凸条６１ｅが嵌合し、接着剤で接着してブロック６１の頂部平面６１ｂに放熱体１１が固着されている。
なお、第２参考例に係るＬＥＤランプ６０のその他の構成は第１実施例に係るＬＥＤランプ１０と同じであるので、同一の構成要素に同一の符号を付して説明を省略する。
【００２４】
第２参考例に係るＬＥＤランプ６０によれば、ＬＥＤチップ１４の発する光が光拡散部材１８で拡散されてブロック６１を通過するとき、ブロック６１のカット面６１ａが輝くので、照明効果が高まる。
【００２５】
第２実施例に係るＬＥＤランプ４０ではブロック４１の表面をサンドブラスト加工によって粗面に形成したが、表面に多数の凹凸や溝を刻設したり、着色したり、図柄を描いて、より照明効果を高めることもできる。
【符号の説明】
【００２６】
１０，４０，５０，６０…ＬＥＤランプ
１１…放熱体
１２…口金
１４…ＬＥＤチップ
１５…モジュール基板
１６…点灯回路
１８…光拡散部材
２０，４１，５１，６１…ブロック
２０ｂ…気泡
２０ｃ，５１ｂ，６１ｄ…空洞部
２０ｅ，５１ｄ，６１ｃ…ブロックの底面
３０…載置面
６１ａ…カット面
【図１】
0005621140.tif 000002
【図２】
0005621140.tif 000003
【図３】
0005621140.tif 000004
【図４】
0005621140.tif 000005
【図５】
0005621140.tif 000006